(57)【要約】【課題】五十肩の疼痛を軽減する器具やテーピングは種々考案されているが、効果的に疼痛を軽減する器具は無かった。【解決手段】睡眠中の横臥が五十肩の疼痛を助長していることに着目しその横臥をできるだけ避けるために、両膝を巻き回すように装着可能なベルト本体１１と、そのベルト本体１１の両端部に面ファスナー１２ａ、１２ｂと、該ベルト本体の中央部付近に両膝幅以上の長さを有する邪魔板１３とを備えて成る五十肩軽減用膝ベルトを提供する。【選択図】図１
2006043364.tif 000002
【特許請求の範囲】
【請求項１】
両膝を巻き回すように装着可能なベルト本体と、そのベルト本体の両端部に着脱自在の係止手段と、該ベルト本体の中央部付近に両膝幅以上の長さを有する邪魔板とを備えて、五十肩の軽減の用に供することを目的として成る五十肩軽減用膝ベルト。
【請求項２】
前記ベルト本体と邪魔板とを固着して設けたことを特徴とする請求項１の五十肩軽減用膝ベルト。
【請求項３】
前記ベルト本体と邪魔板とを係止手段により着脱自在に設けたことを特徴とする請求項１の五十肩軽減用膝ベルト。
【発明の詳細な説明】
【技術分野】
【０００１】  この発明は、五十肩による疼痛を軽減する膝ベルトに関する。
【背景技術】
【０００２】  従来の五十肩による疼痛を軽減する器具、特に夜間痛と言われる就寝時の疼痛を和らげる器具としては、横臥に際し患部側の肩と腕が落ち込む溝を形成し患部肩の圧迫を軽減する目的の寝具があった。
【特許文献１】特開２０００−２５３９５７
【発明の開示】
【発明が解決しようとする課題】
【０００３】  しかしながら、上述の寝具では、形成した溝の形状に合わせて腕を伸ばさなければならなかったり、寝具の一部に溝を形成するために寝具自体が前傾したりするなどして、使用面において過度な制約が加わり安眠を得ることが難しかった。さらに、入眠後に至っては意識的に患部肩を溝に落とし込むことができないので、睡眠中の効果は不確実であった。【０００４】  そもそも、五十肩は肩関節周囲炎とも言われ、肩関節の軟部組織に広く及ぶいくつかの病態を総称するものであるが、その原因については、これまでに世界中で多くの病理研究が為されてきたにも拘わらず、未だに究明されていない。このように発症原因が特定されない状況下では、有効な対処法を施すのは難しいことであるが、近年、五十肩は肩関節を形成する上腕骨および肩甲骨の位置関係が崩れることに因るものとする考えが出されてきた。例えば図４に示すように、上腕骨骨頭４１と、肩甲骨の烏口突起４２、又は肩峰４３などとの位置関係が崩れ、関節の間に位置する軟部組織や腱板を挟み込み傷つけて激しい痛みを生じさせるというものである。したがって、五十肩がこのようにして起こるとすれば、関節組織等を挟み込む要因を取り除くことが肝要である。【０００５】  しかしながら、一方で睡眠中においては、患部肩を体軸方向に強く圧迫し、関節組織等にダメージを与える要因が存在する。それは寝返りでもたらされる横臥による患部肩の圧迫である。
人は、無意識のうちに、多い人で一晩に３０回程度寝返りを打つと言われ、それが五十肩を患う人の場合には、肩を繰り返し圧迫してその症状を悪化させることが考えられる。患部肩が下になった横臥の睡眠姿勢では、上半身の体重が、集中的に患部肩に掛かり寝具からの外圧として肩関節の組織を体軸方向に強く圧迫する。しかも、睡眠中であるため、寝返りによる横臥を意識的に回避できないので、患部肩を下にした横臥を長時間に亘って継続し、五十肩を一層悪化させてしまうことになる。【０００６】  これに対して、仰臥の睡眠姿勢は、肩を体軸方向に圧迫しないので、患部肩の安静が保たれ、傷ついた関節組織等を癒して五十肩の疼痛を改善する方向に向かわせる。
そこで、この発明は、人が意識を持たない睡眠中に、睡眠姿勢をできるだけ横臥から仰臥に移行させ患部肩の圧迫を緩和することにより五十肩の疼痛を軽減することを目的とした器具を提供することを課題とする。
【課題を解決するための手段】
【０００７】  以上の課題を解決するために、第一発明は、両膝を巻き回すように装着可能なベルト本体と、そのベルト本体の両端部に着脱自在の係止手段と、該ベルト本体の中央部付近に両膝幅以上の長さを有する邪魔板とを備えて、五十肩の軽減の用に供することを目的として成る五十肩軽減用膝ベルトである。
また、第二発明は、前記ベルト本体と邪魔板とを固着して設けた前記五十肩軽減用膝ベルトである。
さらに、第三発明は、前記ベルト本体と邪魔板とを係止手段により着脱自在に設けた前記五十肩軽減用膝ベルトある。
【発明の効果】
【０００８】  第一発明は、両膝を巻き回すように装着可能なベルト本体と、そのベルト本体の両端部に着脱自在の係止手段と、該ベルト本体の中央部付近に両膝幅以上の長さを有する邪魔板とを備えた五十肩軽減用膝ベルトに関する。始めに、本膝ベルトの使用法を説明する。就寝時に、膝関節のすぐ上部の両大腿部に、両膝の内側が互いに軽く接する程度に本膝ベルトを巻き回し、該係止手段によりベルト本体の両端部を留める。そして、本膝ベルトによって両膝を固定したまま、就寝する。睡眠途中で起き上がるときや翌朝の起床時には、係止手段の解除により本膝ベルトを取り外す。【０００９】  膝を拘束しない通常の横臥では、互いの膝が大きく前後したり股関節が開闢したりして両下肢がそれぞれに安定な姿勢を取るため、上体も安定した横向きの姿勢が長く継続される。しかし、膝ベルトを着用し両膝を揃えたまま就寝すると、上述のような両下肢による姿勢の安定化の自由度が無くなり、自然に仰臥の睡眠姿勢に移行しやすくなる。また、両膝が揃うと、両下肢が伸びて仰臥に移行しやすくなるという効果も加わる。以上は膝ベルトだけの効果であるが、ベルト本体の中央部分に両膝幅以上の長さを有するに邪魔板を取り付けると、邪魔板の端部が仰臥から横臥に転位するときの回転軸になるため、両下肢の重みにより寝返りの頻度に制限が加えられ、横臥の時間を更に短くする効果を奏する。
因って、就寝時に本膝ベルトを着用することにより患部肩を圧迫する横臥の継続時間を短縮させ、患部肩に安静をもたらして五十肩の疼痛を軽減する効果を得ることができる。【００１０】  第二発明は、前記ベルト本体と邪魔板とを固着して設けた前記五十肩軽減用膝ベルトであって、膝ベルト自体が持つ人体の生理作用による横臥の抑制効果と、邪魔板が持つ物理作用による回転抑制効果とが定常的に得られるものである。
これを実証するため、筆者は、本膝ベルトの着用による横臥から仰臥への移行の効果を実地に調査した。それによると、五十肩を患う者が膝を拘束しないで睡眠をとったとき全睡眠時間中の仰臥時間の割合は平均３９％であったが、両膝を本膝ベルトによって固定し睡眠をとったときの仰臥時間は全睡眠時間中平均６８％に増加した。これは、本膝ベルトの着用によって全睡眠時間中の２９％の横臥時間が仰臥時間に移行したことを意味する。
因みに、五十肩を発症していない者では、全睡眠時間中の仰臥時間の割合は８３％にも及び、五十肩を患う者と比較して大きな開きが認められる。【００１１】  第三発明は、前記ベルト本体と前記邪魔板とを係止手段により着脱自在に設けた五十肩軽減用膝ベルトであって、邪魔板を取り付けた状態での膝ベルトの使用と邪魔板を取り外した膝ベルトだけの使用の２つの機能を有するものである。
夜間痛が激しいとき、より横臥になり難い邪魔板を収り付けた状態で膝ベルトを着用し、症状が軽いときには、着用感がより少ない膝ベルトだけを着用するという使い方ができる。膝ベルトだけの着用でも、全睡眠時間中の仰臥時間の割合は平均６１％に達し、膝を拘束しないで睡眠をとったときに比して２２％増加する効果が得られる。
【発明を実施するための最良の形態】
【００１２】  第二発明の一実施形態を、図１に示す。
ベルト本体１１は、両膝を巻き回すのに十分な長さを有する幅広の帯状布からなり、該ベルト本体１１の両端部には着脱自在の係止手段として面ファスナー１２ａ、１２ｂを備えている。該ベルト本体１１の外側の中央部分と、適度な硬性を有する、例えば合成樹脂や木材などの薄板から成り、かつ両膝幅以上の長さを有する邪魔板１３の中央部分とをカシメ、ハトメ、接着などの手段により固着する。ベルト本体１１の幅は２〜５センチメートルが好ましい。また、邪魔板１３の長さは４０センチメートル前後が効果的である。
この実施形態によれば、幅広の帯状布のため着用感が少なく、両膝の内側が互いに軽く接する程度に両下肢をしっかり留めることができる。しかしながら、両下肢を完全に固定するものでは無く、互いの下肢の前後によって寝返ることが可能である。また、面ファスナーにより本膝ベルトの着脱を容易に行うことができる。【００１３】  第三発明の一実施形態を、図２に示す。
ベルト本体１１と邪魔板１３とが着脱自在の係止手段により取り付けられる。係止手段としては、邪魔板１３の中央部付近に対をなす貫通孔１４を設け、該貫通孔１４にベルト本体１１を環状になるように通し、該ベルト本体１１を邪魔板１３に係止する。膝ベルトを単体で使用するときは、ベルト本体１１を該貫通孔１４から抜き取り邪魔板１３と分離する。
この実施形態では、ベルト本体１１と邪魔板１３とが容易に着脱でき、邪魔板１３を取り付けた膝ベルトと膝ベルトだけの使い分けが簡単にできる【００１４】「他の実施形態」
図１又は図２の実施形態では、係止手段として面ファスナー１２ａ、１２ｂを用いたが、他の実施形態では、ボタン、バックル、ホック、細紐などの止め具をベルト本体１１の両端部に設けたものでも良い。
また、図２の実施形態では、ベルト本体１１を邪魔板１３の貫通孔１４に通して係止したが、他の実施形態では、ベルト本体１１を邪魔板１３に細紐などによって着脱自在に取り付けてもよい。
【産業上の利用可能性】
【００１５】  本発明は、五十肩の疼痛を軽減する器具に関わるものであるが、人体の仰臥から横臥に転位することを抑制する邪魔板の作用を付加した膝ベルトに関するものであって、産業上の利用が可能であるものである。
【図面の簡単な説明】
【００１６】
【図１】第二発明の一実施形態を示す斜視図である。
【図２】第三発明の一実施形態を示す斜視図である。
【図３】本膝ベルトの使用状態を示す斜視図である。
【図４】上腕骨および肩甲骨の位置関係を示す図である。
【符号の説明】
【００１７】      １１  ベルト本体            １２ａ  １２ｂ  面ファスナー
１３  邪魔板                １４  貫通孔
４１  上腕骨骨頭            ４２  烏口突起
４３  肩峰
【図１】
2006043364.tif 000003
【図２】
2006043364.tif 000004
【図３】
2006043364.tif 000005
【図４】
2006043364.tif 000006